(57)【要約】【課題】対象者の所在情報を確認する作業にかかる時間を低減することが可能なセキュリティシステムを提供する。【解決手段】複数のセキュリティポール１０と、通信網を介して複数のセキュリティポール１０と通信可能な映像／音声蓄積サーバ２１とを備え、セキュリティポール１０の各々は、柱状の本体部１１０と、本体部１１０の周辺を撮像するカメラ１２１と、短距離無線通信により、本体部１１０の周辺を通過する無線発信機から無線発信機を特定可能な発信機識別情報を含む無線信号を受信可能なＩＣリーダ１３０と、カメラ１２１の撮像信号と、発信機識別情報と、無線信号を受信したセキュリティポール１０を識別可能なポール識別情報とを映像／音声蓄積サーバ２１に送信可能な無線ＬＡＮルータ１８０とを有し、映像／音声蓄積サーバ２１は、撮像信号と、発信機識別情報と、ポール識別情報とを対応づけて記録する記録部２２１を有する。【選択図】図１
2017120477.tif 000002
【特許請求の範囲】
【請求項１】
複数のセキュリティポールと、
通信網を介して前記複数のセキュリティポールと通信可能なサーバと、
を備え、
前記セキュリティポールの各々は、
柱状の本体部と、
前記本体部の周辺を撮像するカメラと、
短距離無線通信により、前記本体部の周辺を通過する無線発信機から当該無線発信機を特定可能な発信機識別情報を含む無線信号を受信可能な無線受信部と、
前記カメラの撮像信号と、前記発信機識別情報と、前記無線信号を受信したセキュリティポールを識別可能なポール識別情報と、を前記サーバに送信可能な送信部と、
を有し、
前記サーバは、
前記撮像信号と、前記発信機識別情報と、前記ポール識別情報と、を対応づけて記録する記録部を有する、
セキュリティシステム。
【請求項２】
前記記録部には、前記無線受信部が前記無線信号を受信した時点を含む所定時間の前記撮像信号が記録される、
請求項１に記載のセキュリティシステム。
【請求項３】
さらに、前記サーバに接続された表示装置を有し、
前記表示装置は、前記記録部に基づいて、前記各セキュリティポールの前記撮像信号を一覧的に表示可能である、
請求項１に記載のセキュリティシステム。
【請求項４】
前記表示装置は、時間帯別に前記撮像信号を一覧的に表示可能である、
請求項３に記載のセキュリティシステム。
【請求項５】
前記表示装置は、特定の前記発信機識別情報と対応づけられた前記撮像信号を一覧的に表示可能である、
請求項３または請求項４に記載のセキュリティシステム。
【請求項６】
前記セキュリティポールの各々は、非常ボタンと拡声スピーカとを有し、
前記非常ボタンが操作された場合、前記拡声スピーカから警報が発報される、
請求項１から請求項５のいずれか一項に記載のセキュリティシステム。
【請求項７】
前記非常ボタンが操作された場合、前記非常ボタンが操作された前記セキュリティポールの前記拡声スピーカの動作と連動して、前記非常ボタンが操作されたセキュリティポールの周辺に位置するセキュリティポールの前記拡声スピーカからも警報が発報される、
請求項６に記載のセキュリティシステム。
【発明の詳細な説明】
【技術分野】
【０００１】
本発明は、犯罪予防等のために用いられるセキュリティシステムに関するものである。
【背景技術】
【０００２】
近年、例えば繁華街、線路、踏切、道路、通学路等の地域に、犯罪予防の観点から、その地域を監視するための防犯カメラが設置されることがある（特許文献１参照）。このようなカメラが撮像したデータは、例えば児童や老人、その他の監視対象者（以下「対象者」という）を誘拐や暴行等する事件が発生した場合に、有用な資料や重要な証拠となり得る。
【先行技術文献】
【特許文献】
【０００３】
【特許文献１】特開２０１３−０２１５９５号公報
【発明の概要】
【発明が解決しようとする課題】
【０００４】
しかしながら、上述の防犯カメラを使用した防犯システムでは、誘拐等の事件があった場合に、誰がどこを通過した等の所在情報を確認する作業に多大な時間を要する場合があった。
【０００５】
そこで、本発明は、対象者の所在情報を確認する作業にかかる時間を低減することが可能なセキュリティシステムを提供することを目的とする。
【課題を解決するための手段】
【０００６】
上記目的を達成するために、本発明のセキュリティシステムは、
複数のセキュリティポールと、
通信網を介して前記複数のセキュリティポールと通信可能なサーバと、
を備え、
前記セキュリティポールの各々は、
柱状の本体部と、
前記本体部の周辺を撮像するカメラと、
短距離無線通信により、前記本体部の周辺を通過する無線発信機から当該無線発信機を特定可能な発信機識別情報を含む無線信号を受信可能な無線受信部と、
前記カメラの撮像信号と、前記発信機識別情報と、前記無線信号を受信したセキュリティポールを識別可能なポール識別情報と、を前記サーバに送信可能な送信部と、
を有し、
前記サーバは、
前記撮像信号と、前記発信機識別情報と、前記ポール識別情報と、を対応づけて記録する記録部を有する。
【０００７】
この構成によれば、無線発信機を携帯する対象者がセキュリティポールの周辺を通過したとき、発信機識別情報と、ポール識別情報と、撮像信号とが、サーバに向けて送信される。そして、サーバでは、発信機識別情報と、ポール識別情報と、撮像信号とが対応づけて記録される。このため、対象者が誘拐等で失踪して対象者の所在情報を至急確認する必要が生じた場合、対象者を捜索する捜索者は、発信機識別情報やポール識別情報を利用して検索等を行うことで、サーバに記録された撮像信号全体の中から対象者の所在が確認できる可能性が高い撮像信号を迅速に見つけ出すことができる。このように、上記構成によれば、対象者の所在情報を確認する作業にかかる時間を低減することが可能なセキュリティシステムを提供することができる。
【０００８】
また、本発明のセキュリティシステムにおいて、
前記記録部には、前記無線受信部が前記無線信号を受信した時点を含む所定時間の前記撮像信号が記録されても良い。
【０００９】
この構成によれば、記録部のメモリ容量を有効に活用することができる。
【００１０】
また、本発明のセキュリティシステムは、
さらに、前記サーバに接続された表示装置を有し、
前記表示装置は、前記記録部に基づいて、前記各セキュリティポールの前記撮像信号を一覧的に表示可能であっても良い。
【００１１】
この構成によれば、捜索者は、複数のセキュリティポールから得られた撮像信号を一覧的に確認することができ、対象者の所在情報を確認する作業をさらに迅速に行うことができる。
【００１２】
また、本発明のセキュリティシステムにおいて、
前記表示装置は、時間帯別に前記撮像信号を一覧的に表示可能であっても良い。
【００１３】
この構成によれば、各撮像信号に基づいて対象者の移動経路を一覧的に確認することができる。
【００１４】
また、本発明のセキュリティシステムにおいて、
前記表示装置は、特定の前記発信機識別情報と対応づけられた前記撮像信号を一覧的に表示可能であっても良い。
【００１５】
この構成によれば、捜索者は、特定の対象者の所在情報を、前記セキュリティポールが取得した撮像信号を用いて迅速に確認することができる。
【００１６】
また、本発明のセキュリティシステムにおいて、
前記セキュリティポールの各々は、非常ボタンと拡声スピーカとを有し、
前記非常ボタンが操作された場合、前記拡声スピーカから警報が発報されても良い。
【００１７】
この構成によれば、身の危険を感じた対象者は、セキュリティポールを利用して周囲に助けを求めることができる。
【００１８】
また、本発明のセキュリティシステムにおいて、
前記非常ボタンが操作された場合、前記非常ボタンが操作された前記セキュリティポールの前記拡声スピーカの動作と連動して、前記非常ボタンが操作されたセキュリティポールの周辺に位置するセキュリティポールの前記拡声スピーカからも警報が発報されても良い。
【００１９】
この構成によれば、身の危険を感じた対象者は、セキュリティポールを利用して周辺一帯に助けを求めることができる。
【発明の効果】
【００２０】
本発明のセキュリティシステムによれば、対象者の所在情報を確認する作業にかかる時間を低減することができる。
【図面の簡単な説明】
【００２１】
【図１】本発明の実施形態に係るセキュリティシステムのブロック図である。
【図２】セキュリティシステムにおけるセキュリティポールの構成図である。
【図３】セキュリティポールが設置されている場所を表す地図である。
【図４】管理親機に表示される映像の一例を示す図である。
【図５】管理親機に表示される映像の別の例を示す図である。
【図６】管理親機に表示される別の形態例を示す図である。
【発明を実施するための形態】
【００２２】
以下、本実施形態の一例について、図面を参照して説明する。
図１及び図２に示すように、セキュリティシステム１は、地域（例えば、市、町、村等）の各所に設置されるセキュリティポール１０と、インターネットＮ等の通信網を介してセキュリティポール１０と通信可能に接続されるサーバ（例えば、映像／音声蓄積サーバ２１や、気象庁サーバ２２）とを備えている。サーバは、例えばセキュリティポール１０から離隔した場所に設けられた管理室Ｒ（例えば、民間の警備会社のビルの一室や警察署の建物内の一室など）に設置されている。
【００２３】
セキュリティポール１０は、例えば、各地域における道路、駅前、バス停、公園、学校、商店街、病院、公共団体、駐車場、ショッピングモール、スポーツ施設等の比較的に人の往来が多い複数の箇所に設置される。セキュリティポール１０は、本体部１１０と、ポール子機１２０と、ＩＣリーダ１３０（無線受信部の一例）と、非常ボタン１４０と、拡声スピーカ１５０と、警光灯１６０と、ソーラーパネル１７０と、無線ＬＡＮルータ１８０（送信部の一例）とを有している。
【００２４】
本体部１１０は、例えば柱状のポールで形成されている。本体部１１０には、ポール子機１２０と、ＩＣリーダ１３０と、非常ボタン１４０と、拡声スピーカ１５０と、警光灯１６０と、ソーラーパネル１７０等が取り付けられている。
【００２５】
ポール子機１２０は、カメラ１２１と、呼出ボタン１２２と、通話部１２３と、メモリ（例えば、録音メモリ１２４Ａ、録画メモリ１２４Ｂ）と、ＣＰＵ１２５と、通信インターフェース（以下、ＩＦと称する。）１２６と、蓄電池１２７とを有している。ポール子機１２０は、無線ＬＡＮルータ１８０を介してインターネットＮに接続可能に構成されている。
【００２６】
カメラ１２１は、本体部１１０の周辺の映像を撮像する。カメラ１２１は、映像処理部１２１ａを介してＣＰＵ１２５及び通信ＩＦ１２６に接続されている。映像処理部１２１ａは、カメラ１２１で撮像された映像を録画メモリ１２４Ｂに記録するための処理、及び映像／音声蓄積サーバ２１に送信するための処理を行う。
【００２７】
呼出ボタン１２２は、管理室Ｒで待機している対応者を呼び出すために操作するボタンである。呼出ボタン１２２は、ＣＰＵ１２５に接続されている。
【００２８】
通話部１２３は、マイク及びスピーカからなり、例えば呼出ボタン１２２や非常ボタン１４０を操作した操作者が管理室Ｒの対応者と通話することができるように構成されている。通話部１２３は、通話回路１２３ａを介してＣＰＵ１２５及び通信ＩＦ１２６に接続されている。通話回路１２３ａは、通話の音声を録音メモリ１２４Ａに記録するための処理、及び映像／音声蓄積サーバ２１に送信するための処理を行う。
【００２９】
録音メモリ１２４Ａは、通話部１２３を介して行われた通話の音声を記録するためのメモリである。録画メモリ１２４Ｂは、カメラ１２１で撮像された映像を記録するためのメモリである。録音メモリ１２４Ａ及び録画メモリ１２４Ｂは、ＣＰＵ１２５に接続されている。録音メモリ１２４Ａ及び録画メモリ１２４Ｂのデータは、所定時間（例えば、１時間）毎に逐次上書きされる。また、録音メモリ１２４Ａ及び録画メモリ１２４Ｂのデータは、所定動作（例えば、ＩＣリーダ１３０による無線発信機４００Ａの検出、非常ボタン１４０の押下）に同期して映像／音声蓄積サーバ２１に送信される。
【００３０】
ＣＰＵ１２５は、ポール子機１２０を構成する各部の動作、拡声スピーカ１５０及び警光灯１６０の動作等を制御する。通信ＩＦ１２６は、ＣＰＵ１２５と無線ＬＡＮルータ１８０間、映像処理部１２１ａと無線ＬＡＮルータ１８０間、及び通話回路１２３ａと無線ＬＡＮルータ１８０間における双方向の信号伝送路を形成する。蓄電池１２７は、セキュリティポール１０を構成する各部へ電力を供給する。蓄電池１２７には、ソーラーパネル１７０で発電された電力が蓄電される。蓄電池１２７からの電力の供給を補助するために常用電源を設けても良い。
【００３１】
ＩＣリーダ１３０は、短距離無線通信により、無線発信機から発信される無線信号を受信する。ＩＣリーダ１３０は、セキュリティポール１０の周辺（例えば、半径数メートル内）を通過する通行人が携帯する無線発信機４００Ａの無線信号を受信可能である。無線信号には、無線発信機４００Ａを特定可能な発信機識別情報（例えば、発信機ＩＤ）が含まれている。無線発信機４００Ａは、例えば、児童や老人、その他の監視対象者等が携帯する防犯ブザー４００等に、例えばＩＣチップとして内蔵されている（図２参照）。ＩＣリーダ１３０は、無線ＬＡＮルータ１８０を介してインターネットＮに接続可能である。
【００３２】
非常ボタン１４０は、例えば通行人が危険を感じた際に操作するボタンである。非常ボタン１４０は、ポール子機１２０のＣＰＵ１２５に接続されている。
【００３３】
拡声スピーカ１５０は、非常ボタン１４０が操作された際、警報を音声として発報するために用いられる。拡声スピーカ１５０は、ポール子機１２０のＣＰＵ１２５に接続されている。なお、ポール子機１２０における通話部１２３のスピーカを拡声スピーカとして共用するようにしても良い。
【００３４】
警光灯１６０は、例えば回転灯で構成されており、非常ボタン１４０が操作された際、警報を光として発報するために用いられる。警光灯１６０は、ポール子機１２０のＣＰＵ１２５に接続されている。
【００３５】
無線ＬＡＮルータ１８０は、ワイヤレスアクセスポイントＰ及びインターネットＮを介して、セキュリティポール１０から出力される信号を外部へ発信するとともに、外部から送信されてきた信号を受信する。なお、無線ＬＡＮルータ１８０は、ＳＩＭカード１８１を用いることで通信機能が可能となるような構成としても良い。
【００３６】
映像／音声蓄積サーバ２１は、記録部２２１を有しており、記録部２２１には、各セキュリティポール１０から送信された各種情報が記録されている。例えば、記録部２２１には、ＩＣリーダ１３０が受信した無線信号に対応づけられる情報や、非常ボタン１４０が操作されたことに関連する情報、呼出ボタン１２２が操作されたことに関連する情報等が記録されている。
【００３７】
気象庁サーバ２２は、記録部２２２を有しており、記録部２２２には、気象庁から発表される、例えば地震情報、津波情報、台風情報、降水情報等が逐次記録されている。
【００３８】
また、管理室Ｒには、映像／音声蓄積サーバ２１に接続された管理親機３０（表示装置の一例）が設置されている。管理親機３０は、モニタ３０１と、通話部３０２とを有している。モニタ３０１には、各セキュリティポール１０から送信されてくる情報を表示可能である。通話部３０２は、マイク及びスピーカからなり、各セキュリティポール１０のポール子機１２０と通話可能に構成されている。管理親機３０は、インターネットＮを介して各セキュリティポール１０と通信可能である。
【００３９】
次に、図３〜図６を参照して、セキュリティシステム１の動作例を説明する。
図３は、ある地域の道路、駅、コンビニ、公園、学校等の各所に例えばセキュリティポール１０Ａ〜１０Ｑが設置されている地図を示している。
【００４０】
＜動作例１＞
図３に示すように、太郎君は、自宅から小学校まで破線Ｘで示すような道順を歩いて通学する。太郎君は、防犯ブザー４００を携帯しており、防犯ブザー４００には無線発信機４００Ａが内蔵されている。
【００４１】
自宅を出た太郎君は、最初にセキュリティポール１０Ｃの周辺を通過する。このため、セキュリティポール１０Ｃに取付けられているカメラ１２１によって太郎君の映像が撮像され、撮像された映像がポール子機１２０の録画メモリ１２４Ｂに記録される。また、セキュリティポール１０ＣのＩＣリーダ１３０によって、太郎君の無線発信機４００Ａから無線発信機４００Ａを特定可能な発信機識別情報を含む無線信号が受信される。
【００４２】
ＩＣリーダ１３０による無線信号の受信に伴い、無線信号に含まれている発信機識別情報と、無線信号を受信したセキュリティポール１０Ｃを識別可能なポール識別情報と、無線信号を受信した時点を含む所定時間のカメラ１２１の撮像信号とが、無線ＬＡＮルータ１８０からインターネットＮを介して管理室Ｒの映像／音声蓄積サーバ２１へ送信される。送信される撮像信号の所定時間は、予め設定可能であるが、本例では無線信号を受信した時点の前後１０秒間に設定されている。
【００４３】
映像／音声蓄積サーバ２１で受信された発信機識別情報と、ポール識別情報と、撮像信号とは、互いに対応づけられて記録部２２１に記録される。
【００４４】
同様にして、太郎君がセキュリティポール１０Ｈ，１０Ｌ，１０Ｍ，１０Ｎ，１０Ｐの周辺を通過すると、通過した各セキュリティポール１０から順次映像／音声蓄積サーバ２１へ情報が送信されて、記録部２２１に記録される。
【００４５】
映像／音声蓄積サーバ２１に記録されているデータは、管理親機３０のモニタ３０１に表示して確認することができる。モニタ３０１に表示するデータは、例えば無線発信機を特定する所定の発信機識別情報毎に検索することができる。具体的には、太郎君が携帯する防犯ブザー４００（無線発信機４００Ａ）の発信機識別情報が検索されると、モニタ３０１には、太郎君の無線発信機４００Ａから無線信号を受信した各セキュリティポール１０における撮像信号が表示される。各撮像信号は、図４に示すように、例えばマルチ画面（本例では、６つの画面）として受信した順（時間帯別）に一覧的に表示される。各画面には、撮像信号と共に例えばセキュリティポール１０の設置場所を示す情報と、撮像された日時を示す情報等が表示される。撮像信号は、動画として表示することも静止画としても表示することも可能であり、各画面を拡大して表示することも可能である。なお、本例における図４には、太郎君が自宅から小学校まで破線Ｘの道順通りに登校したときの撮像信号等が表示されている。
【００４６】
これに対して、例えば太郎君が登校中に誘拐等で失踪した場合、誘拐等された時点以降において記録部２２１に記録されるデータに差が現れる。この場合、モニタ３０１に表示される各セキュリティポール１０の撮像信号等は、図５に示すように、例えばセキュリティポール１０Ｍ以降の撮像信号等が途切れたマルチ画面（本例では、４つの画面）となって表示される。モニタ３０１に表示される撮像信号等を確認することにより、例えば太郎君の失踪場所、失踪日時等が把握可能となる。
【００４７】
なお、上記形態では図４，５に示すように、モニタ３０１に撮像信号等が一覧的に表示されているが、例えば図６に示すように、監視対象者、日時、場所等を文字データで一覧的に表示するようにしても良い。
【００４８】
以上説明したセキュリティシステム１によれば、防犯ブザー４００（無線発信機４００Ａ）を携帯する児童が各セキュリティポール１０の周辺を通過したとき、発信機識別情報と、ポール識別情報と、撮像信号とが、各セキュリティポール１０から管理室Ｒの映像／音声蓄積サーバ２１に向けて送信される。そして、映像／音声蓄積サーバ２１では、発信機識別情報と、ポール識別情報と、撮像信号とが対応づけられて記録部２２１に順次記録される。このため、児童が誘拐等で失踪して児童の所在情報を至急確認する必要が生じた場合、捜索者は、発信機識別情報やポール識別情報を利用して検索等を行うことで、映像／音声蓄積サーバ２１に記録された撮像信号全体の中から対象者の所在が確認できる可能性が高い撮像信号を迅速に見つけ出すことができる。これにより、児童の所在情報を確認する作業にかかる時間を低減することができる。
【００４９】
また、捜索者は、複数のセキュリティポールから得られた特定の児童（太郎君）の撮像信号をその撮像信号が記録された場所及び日時と共に管理親機３０のモニタ３０１で一覧的に確認することができる。これにより、捜索者は、児童の所在情報を確認する作業をさらに迅速に行うことができる。
【００５０】
また、所在が確認できる可能性が高い期間の撮像信号を選択して映像／音声蓄積サーバ２１に記録することができるので、記録部２２１のメモリ容量を有効に活用することができる。
【００５１】
＜動作例２＞
非常ボタン１４０が操作された場合、セキュリティシステム１は、以下のように動作する。
非常ボタン１４０が押されると、危険状態の発生を意味する非常信号が出力されてポール子機１２０のＣＰＵ１２５に入力される。これにより、ＣＰＵ１２５の制御によって、拡声スピーカ１５０から例えば「ご注意ください」等の注意を喚起する音声が周囲に発報されるとともに、警光灯１６０から光が発報される。
【００５２】
拡声スピーカ１５０及び警光灯１６０による発報は、非常ボタン１４０が操作されたセキュリティポール１０からだけでなく、その周辺に設置されている他のセキュリティポール１０から発報されても良い。この場合、セキュリティポール１０と管理室Ｒの管理親機３０との間を接続状態にして、非常ボタン１４０の操作者がポール子機１２０の通話部１２３を介して管理室Ｒと通話できるようにしても良い。また、非常ボタン１４０が押された時点を含む所定時間の撮像信号等を管理室Ｒの映像／音声蓄積サーバ２１へ送信しても良い。
【００５３】
上記構成によれば、身の危険を感じた通行人等は、セキュリティポール１０を利用して周囲に助けを求めることができる。また、管理室Ｒの対応者は、通話するとともに映像を見ながら操作者への応対が可能である。
【００５４】
＜動作例３＞
自然災害が発生した場合、セキュリティシステム１は、以下のように動作する。
例えば地震が発生すると、管理室Ｒの気象庁サーバ２２に記録されている地震情報、津波情報等が、各セキュリティポール１０に送信される。各セキュリティポール１０は、受信した情報を拡声スピーカ１５０から周辺住民に対して放送する。放送される情報は、このほか例えば管理室Ｒに設置された地域サーバ（図示省略）に記録されている情報であっても良く、災害が発生した際に、各地域の住民を避難場所へ誘導するような内容等を放送しても良い。
【００５５】
上記構成によれば、災害に遭遇した住民は、各セキュリティポール１０から得られる情報に基づいて的確な避難行動等をとることが可能になる。
【００５６】
＜動作例４＞
呼出ボタン１２２が操作された場合、セキュリティシステム１は、以下のように動作する。
呼出ボタン１２２が押されると、セキュリティポール１０と管理室Ｒの管理親機３０との間が接続状態となり、呼出ボタン１２２の操作者がポール子機１２０の通話部１２３を介して管理室Ｒと通話できるようになる。この場合、呼出ボタン１２２が押された時点を含む所定時間の撮像信号等を管理室Ｒの映像／音声蓄積サーバ２１へ送信しても良い。
【００５７】
上記構成によれば、相談事が発生した例えば児童や老人等もセキュリティポール１０を利用して助けを求めることができる。
【００５８】
＜動作例５＞
児童の寄り道を防止するために、セキュリティシステム１は、以下のように動作しうる。
児童の親が、図３に示す破線Ｘのような児童の通学路を、例えば管理室Ｒに設置された通学路サーバ（図示省略）に予め登録する。各セキュリティポール１０のＩＣリーダ１３０から送信される発信機識別情報とポール識別情報とに基づいて、登録された通学路通りに児童が進んでいるか否か通学路サーバ側で判別する。その結果、児童の通り道が通学路から外れている場合、親（例えば、親のスマートフォン）にその旨を知らせるための例えば「寄り道信号」が送信される。
【００５９】
上記構成によれば、親が子供の行動を把握することができるとともに、子供に発生し得る危険を未然に防ぐことも可能になる。
【００６０】
なお、本発明は、上述した実施形態に限定されず、適宜、変形、改良等が自在である。その他、上述した実施形態における各構成要素の材質、形状、寸法、数値、形態、数、配置場所等は、本発明を達成できるものであれば任意であり、限定されない。
【００６１】
例えば、上記形態ではカメラ１２１を常時動作させているが、これに限定されず、ＩＣリーダ１３０が無線発信機４００Ａから無線信号を受信した際や、非常ボタン１４０及び呼出ボタン１２２が操作された際にカメラ１２１を起動させて、その際に撮像された所定時間の撮像信号を映像／音声蓄積サーバ２１へ送信するようにしても良い。この構成によれば、セキュリティポール１０における消費電力を大幅に抑制することができ、ランニングコストの低減が可能となる。
【符号の説明】
【００６２】
１：セキュリティシステム、１０，１０Ａ〜１０Ｑ：セキュリティポール、２１：映像／音声蓄積サーバ、２２：気象庁サーバ、３０：管理親機（表示装置の一例）、１１：本体部、１２０：ポール子機、１２１：カメラ、１２２：呼出ボタン、１２３：通話部、１２４Ａ：録音メモリ、１２４Ｂ：録画メモリ、１２５：ＣＰＵ、１３０：ＩＣリーダ（無線受信部の一例）、１４０：非常ボタン、１５０：拡声スピーカ、１６０：警光灯、１８０：無線ＬＡＮルータ（送信部の一例）、２２１，２２２：記録部、３０１：モニタ、Ｎ：インターネット
【図１】
2017120477.tif 000003
【図２】
2017120477.tif 000004
【図３】
2017120477.tif 000005
【図４】
2017120477.tif 000006
【図５】
2017120477.tif 000007
【図６】
2017120477.tif 000008